(57)【要約】  ユーザ機器（２）を第１の基地局（１）から第２の基地局（５）にハンドオーバする方法であって、前記第１の基地局（１）が、制御プレーンのためのモビリティ管理エンティティと、ユーザ・プレーンのためのサービング・ゲートウェイとに接続され、無線アクセス・ベアラごとのユーザ・プレーン無線プロトコル・スタック（３）と制御プレーン無線プロトコル・スタック（４）とをユーザ機器（２）に提供し、前記第２の基地局（５）が、第１の基地局（１）の制御の下のセルによって覆われたセルを制御し、制御プレーンのためのモビリティ管理エンティティとユーザ・プレーンのためのサービング・ゲートウェイとに接続され、前記方法は、  −  対応するユーザ・プレーン・トラフィックが前記第２の基地局のユーザ・プレーン無線プロトコル・スタック（３）によってユーザ機器（２）に送出されるように、少なくとも無線アクセス・ベアラのためにユーザ・プレーン（３）無線プロトコル・スタックを前記第２の基地局（５）に再配置するステップと、  −  ユーザ機器が、無線アクセス・ベアラのユーザ・プレーン・アップリンク・データを第２の基地局にのみ、および制御プレーン・アップリンク・データを第１の基地局にのみ送るように、再配置に従って無線リソース制御接続を介してユーザ機器（２）を再構成するステップと、  −  第２の基地局からのユーザ・プレーン（３）を更新し、第１の基地局からモビリティ管理エンティティの方への制御プレーン（４）を変わらないままにするために、モビリティ管理エンティティによってサービング・ゲートウェイの方への少なくとも無線アクセス・ベアラのユーザ・プレーン切替を実行するステップとを含む、方法。
2015530840.tif 000002
【特許請求の範囲】
【請求項１】
ユーザ機器（２）を第１の基地局（１）から第２の基地局（５）にハンドオーバする方法であって、前記第１の基地局（１）が、制御プレーンのためのモビリティ管理エンティティと、ユーザ・プレーンのためのサービング・ゲートウェイとに接続され、無線アクセス・ベアラごとのユーザ・プレーン無線プロトコル・スタック（３）と制御プレーン無線プロトコル・スタック（４）とを前記ユーザ機器（２）に提供し、前記第２の基地局（５）が、前記第１の基地局（１）の制御の下のセルによって覆われたセルを制御し、前記制御プレーンのための前記モビリティ管理エンティティと前記ユーザ・プレーンのための前記サービング・ゲートウェイとに接続され、前記方法が、
−  対応するユーザ・プレーン・トラフィックが前記第２の基地局の前記ユーザ・プレーン無線プロトコル・スタック（３）によって前記ユーザ機器（２）に送出されるように、少なくとも無線アクセス・ベアラのために前記ユーザ・プレーン（３）無線プロトコル・スタックを前記第２の基地局（５）に再配置するステップと、
−  前記ユーザ機器が、前記無線アクセス・ベアラのユーザ・プレーン・アップリンク・データを前記第２の基地局にのみ、および制御プレーン・アップリンク・データを前記第１の基地局にのみ送るように、前記再配置に従って無線リソース制御接続を介して前記ユーザ機器（２）を再構成するステップと、
−  前記第２の基地局からの前記ユーザ・プレーン（３）を更新し、前記第１の基地局から前記モビリティ管理エンティティの方への前記制御プレーン（４）を変わらないままにするために、前記モビリティ管理エンティティによって前記サービング・ゲートウェイの方への前記少なくとも無線アクセス・ベアラのユーザ・プレーン切替を実行するステップと
を含む、方法。
【請求項２】
前記モバイル管理エンティティが、前記第１の基地局（１）を無線アクセス・ネットワーク・アンカとして保持する、請求項１に記載の方法。
【請求項３】
前記ユーザ・プレーン（３）無線プロトコル・スタックが３ＧＰＰ規定Ｘ２インタフェースによって再配置される、請求項１または２に記載の方法。
【請求項４】
前記第２の基地局から前記サービング・ゲートウェイの方への前記ユーザ・プレーン切替が、前記３ＧＰＰ規定Ｓ１インタフェースによって実行される、請求項１乃至３のいずれか１項に記載の方法。
【請求項５】
ユーザ機器（２）を第１の基地局（１）から第２の基地局（５）にハンドオーバする通信システムであって、前記第１の基地局（１）が、制御プレーンのためのモビリティ管理エンティティと、ユーザ・プレーンのためのサービング・ゲートウェイとに接続され、無線アクセス・ベアラごとのユーザ・プレーン無線プロトコル・スタック（３）と制御プレーン無線プロトコル・スタック（４）とを前記ユーザ機器（２）に提供し、前記第２の基地局（５）が、前記第１の基地局（１）の制御の下のセルによって覆われたセルを制御し、前記制御プレーンのための前記モビリティ管理エンティティと前記ユーザ・プレーンのための前記サービング・ゲートウェイとに接続され、前記第１の基地局（１）が、
−  対応するユーザ・プレーン・トラフィックが前記第２の基地局の前記ユーザ・プレーン無線プロトコル・スタック（３）によって前記ユーザ機器（２）に送出されるように、少なくとも無線アクセス・ベアラのために前記ユーザ・プレーン（３）無線プロトコル・スタックを前記第２の基地局（５）に再配置し、
−  前記ユーザ機器が、前記無線アクセス・ベアラのユーザ・プレーン・アップリンク・データを前記第２の基地局にのみ、および制御プレーン・アップリンク・データを前記第１の基地局にのみ送るように、前記再配置に従って無線リソース制御接続を介して前記ユーザ機器（２）を再構成し、
−  前記第２の基地局からの前記ユーザ・プレーン（３）を更新し、前記第１の基地局から前記モビリティ管理エンティティの方への前記制御プレーン（４）を変わらないままにするために、前記モビリティ管理エンティティによって前記サービング・ゲートウェイの方への前記少なくとも無線アクセス・ベアラのユーザ・プレーン切替を実行するように構成される、通信システム。
【請求項６】
前記モバイル管理エンティティが、前記第１の基地局（１）を無線アクセス・ネットワーク・アンカとして保持する、請求項５に記載の通信システム。
【発明の詳細な説明】
【技術分野】
【０００１】
本発明は、ロング・ターム・エボリューション（ＬＴＥ）・システム内のプロトコル・スタック・アーキテクチャに関する。
【背景技術】
【０００２】
セルラ・ネットワーク内にスモール・セルを配備するとネットワーク容量を高める効果があることが知られている。したがって、広帯域サービスを促進し、トラフィック増加に応じるために、キロメートルからメートルに至るまでの範囲の様々なセル・サイズを含む様々な無線ネットワーク配備が存在している。
【０００３】
具体的には、セルラ・ネットワークは、それぞれ、マクロ・セルと呼ばれる大きいアンブレラ・セルで覆われた複数の組のスモール・セルを含む。マイクロ・セル、ピコ・セル、およびフェムト・セルを含むスモール・セルは、従来、都市／郊外区域および都市中心部などの高密度トラフィック環境に配備されている。
【０００４】
結果として、所与の区域の高密度トラフィックをサポートするために、異なる周波数の多数のスモール・セルが配備され、それにより、周波数間ヘテロジニアス・ネットワークがもたらされることになる。例えば、マクロ・セル・オーバレイ・ネットワーク層と比較してスモール・セル層でより高い周波数を使用することにより、スモール・セル・トラフィックでは高データ・レートが可能になる。
【０００５】
しかしながら、スモール・セル・ネットワーキングの最も困難な問題の１つはハンドオーバ管理であり、より一般的には、マクロ・セルとスモール・セルとの間のモビリティ管理である。実際、スモール・セル配備が高密度になるほど、移動局がセルを横切って移動する頻度が多くなり、その結果、ハンドオーバ要求が多くなる。それゆえに、スモール・セルによって取り扱われる高いデータ・レートの利益のために、移動局は、マクロ・セルとスモール・セルとの間の非常に頻繁な重いハンドオーバ機構を経験するように制約され、それが、サービスの品質の低下（すなわち、通信品質の劣化、一時的中断、データ損失、潜在的なサービス低下のリスク）、およびより速い移動局の電力消費をもたらす。特に、このサービス品質劣化は、スモール・セル配備が高密度になるにつれて一層厳しくなる。
【発明の概要】
【発明が解決しようとする課題】
【０００６】
本発明の目的は、スモール・セルがマクロ・セル・ネットワークによって覆われる場合の高密度スモール・セル・ネットワークのネットワーク・サービス品質を高めることである。
【０００７】
本発明の別の目的は、周波数間ヘテロジニアス・ネットワーク内の、特に、複数のスモール・セルを覆う大きいセル（マクロ・セル）内のハンドオーバ機構を増強し、この環境においてハンドオーバをよりシームレスにすることである。
【０００８】
本発明の別の目的は、所与のマクロ・セルに属するスモール・セルのハンドオーバ・シグナリング負荷を緩和することである。
【０００９】
本発明の別の目的は、ユーザ機器をマクロ・セルの制御プレーンが取り扱ったままにしながらより高いデータ・レートから利益を得るためにスモール・セルを介してユーザ・プレーン・トラフィックを送出する方法を提供することである。
【課題を解決するための手段】
【００１０】
様々な実施形態は、上記の問題の１つまたは複数の影響に対処することに関する。下記は、様々な実施形態のいくつかの態様の基本的理解を与えるために実施形態の簡単化した概要を提供する。この概要はこれらの様々な実施形態の網羅的な概観ではない。この概要は、決定的な要素の手掛かりを識別すること、またはこれらの様々な実施形態の範囲を正確に概説することを意図していない。その唯一の目的は、後で論じるより詳細な説明の前置きとして簡単化した形態でいくつかの概念を提示することである。
【００１１】
様々な実施形態は、ユーザ機器を第１の基地局から第２の基地局にハンドオーバする方法に関し、前記第１の基地局は、制御プレーンのためのモビリティ管理エンティティと、ユーザ・プレーンのためのサービング・ゲートウェイとに接続され、無線アクセス・ベアラごとのユーザ・プレーン無線プロトコル・スタックと制御プレーン無線プロトコル・スタックとをユーザ機器に提供し、前記第２の基地局は、第１の基地局の制御の下のセルによって覆われたセルを制御し、制御プレーンのためのモビリティ管理エンティティとユーザ・プレーンのためのサービング・ゲートウェイとに接続され、前記方法は、
−  対応するユーザ・プレーン・トラフィックが前記第２の基地局のユーザ・プレーン無線プロトコル・スタックによってユーザ機器に送出されるように、少なくとも無線アクセス・ベアラのためにユーザ・プレーン無線プロトコル・スタックを前記第２の基地局に再配置するステップと、
−  ユーザ機器が、無線アクセス・ベアラのユーザ・プレーン・アップリンク・データを第２の基地局にのみ、および制御プレーン・アップリンク・データを第１の基地局にのみ送るように、再配置に従って無線リソース制御接続を介してユーザ機器を再構成するステップと、
−  第２の基地局からのユーザ・プレーンを更新し、第１の基地局からモビリティ管理エンティティの方への制御プレーンを変わらないままにするために、モビリティ管理エンティティによってサービング・ゲートウェイの方への少なくとも無線アクセス・ベアラのユーザ・プレーン切替を実行するステップと
を含む、方法。
【００１２】
広い態様によれば、モバイル管理エンティティは、第１の基地局を無線アクセス・ネットワーク・アンカとして保持する。
【００１３】
様々な実施形態は、さらに、ユーザ機器を第１の基地局から第２の基地局にハンドオーバする通信システムに関し、前記第１の基地局は、制御プレーンのためのモビリティ管理エンティティと、ユーザ・プレーンのためのサービング・ゲートウェイとに接続され、無線アクセス・ベアラごとのユーザ・プレーン無線プロトコル・スタックと制御プレーン無線プロトコル・スタックとをユーザ機器に提供し、前記第２の基地局は、第１の基地局の制御の下のセルによって覆われたセルを制御し、制御プレーンのためのモビリティ管理エンティティとユーザ・プレーンのためのサービング・ゲートウェイとに接続され、前記第１の基地局は、
−  対応するユーザ・プレーン・トラフィックが前記第２の基地局のユーザ・プレーン無線プロトコル・スタックによってユーザ機器に送出されるように、少なくとも無線アクセス・ベアラのためにユーザ・プレーン無線プロトコル・スタックを前記第２の基地局に再配置し、
−  ユーザ機器が、無線アクセス・ベアラのユーザ・プレーン・アップリンク・データを第２の基地局にのみ、および制御プレーン・アップリンク・データを第１の基地局にのみ送るように、再配置に従って無線リソース制御接続を介してユーザ機器を再構成し、
−  第２の基地局からのユーザ・プレーンを、第１の基地局からモビリティ管理エンティティの方への制御プレーンを変わらないままにするために、モビリティ管理エンティティによってサービング・ゲートウェイの方への少なくとも無線アクセス・ベアラのユーザ・プレーン切替を実行する
ように構成される、通信システム。
【００１４】
様々な実施形態は様々な変更および代替形態の余地があるが、本発明の特定の実施形態が例として図面に示される。しかしながら、特定の実施形態の本明細書の説明は、様々な実施形態を、開示する特定の形態に限定することを意図していないことが理解されるべきである。
【００１５】
そのような実際の実施形態の開発において、システム関連およびビジネス関連の制約条件の遵守などの開発者固有の目標を達成するために実施態様固有の判断をしなければならないことが当然理解されよう。そのような開発努力は時間がかかることがあるが、それにもかかわらず、この開示の利益を有する当業者にとって型通りの理解であり得ることが理解されよう。
【００１６】
本発明の目的、利点、および他の特徴は、以下の開示および特許請求の範囲からより明らかになるであろう。好適な実施形態の以下の非限定的な説明は、例証のためにのみ添付図面に関連して与えられる。
【図面の簡単な説明】
【００１７】
【図１】先行技術による、ユーザ・プレーンおよび制御プレーンのための無線プロトコル・アーキテクチャを示す概略図である。
【図２】１つの実施形態による、ユーザ・プレーンおよび制御プレーンのための無線プロトコル・アーキテクチャを示す概略図である。
【図３】１つの実施形態によるハンドオーバ手順を示す概略図である。
【図４】１つの実施形態による２つのネットワーク基地局間の対話を示す概略図である。
【発明を実施するための形態】
【００１８】
ユーザ機器（ＵＥ）という用語は、ＬＴＥもしくはＬＴＥ−Ａ、または両方をサポートする任意のユーザ・デバイス（移動局、加入者局、移動端末、ユーザ端末、または無線デバイスとしても知られている）を意味することが意図される。
【００１９】
マクロ・セルを制御するｅＮｏｄｅＢ（またはベース・トランシーバ・システム、基地局、もしくはアクセス・ポイントとしても知られている、進化型ノードＢを表すｅＮＢ）は、今後、マクロｅＮｏｄｅＢ（またはマクロ基地局）と呼ぶ。同様に、スモール・セル（マイクロ・セル、ピコ・セル、またはフェムト・セル）を制御するｅＮｏｄｅＢは、スモールｅＮｏｄｅＢ（ｓｍａｌｌ  ｅＮｏｄｅＢ）またはスモール基地局（それぞれ、マイクロｅＮｏｄｅＢ、ピコｅＮｏｄｅＢ、フェムトｅＮｏｄｅＢ）と呼ぶ。
【００２０】
図１を参照すると、マクロｅＮｏｄｅＢ１が、Ｓ１制御プレーン（Ｓ１−Ｃ）とＳ１ユーザ・プレーン（Ｓ１−Ｕ）とに分割されている３ＧＰＰ規定Ｓ１インタフェースによってコア・ネットワークに接続されることが示されている。ｅＮｏｄｅＢ１は、Ｓ１−ＭＭＥインタフェースとも呼ばれるＳ１−Ｃによってモビリティ管理エンティティ（ＭＭＥ）に、およびＳ１−Ｕインタフェースによってサービング・ゲートウェイ（Ｓ−ＧＷ）に接続する（ＭＭＥおよびＳ−ＧＷは図３に示される）。その上、マクロｅＮｏｄｅＢ１は、ＬＴＥ無線インタフェースＵｕを介して、ユーザ・プレーン３および制御プレーン４をＵＥ２に提供する。
【００２１】
ＬＴＥネットワーク内で、ｅＮｏｄｅＢは３ＧＰＰ規定Ｘ２インタフェースによって相互接続される。
【００２２】
ＵＥ２とマクロｅＮｏｄｅＢ１との間の無線インタフェース・プロトコルの層は、開放型システム間相互接続（ＯＳＩ）モデルに基づく。
【００２３】
実際には、ＵＥ２のデータ・トラフィックの搬送（すなわち、ユーザ・データ伝送）を担当するユーザ・プレーン３は、マクロｅＮｏｄｅＢ１に配置されるＥ−ＲＡＢ（ＥＵＴＲＡＮ無線アクセス・ベアラ）ごとの無線プロトコル・スタックに依拠する。この無線プロトコル・スタックは、パケット・データ収束プロトコル（ＰＤＣＰ）層、無線リンク制御（ＲＬＣ）層、メディア・アクセス制御（ＭＡＣ）層、および物理（ＰＨＹ）層を含む。
【００２４】
制御情報を搬送すること（シグナリングとしても知られる）によって制御機構を担当する制御プレーン４は、マクロｅＮｏｄｅＢ１に配置される無線プロトコル・スタックに基づく。この無線プロトコル・スタックは、パケット・データ収束プロトコル（ＰＤＣＰ）層、無線リンク制御（ＲＬＣ）層、メディア・アクセス制御（ＭＡＣ）層、および物理（ＰＨＹ）層を含む。
【００２５】
無線アクセス・ベアラは、ユーザ機器２とマクロｅＮｏｄｅＢ１との間の単一データ・ストリームまたはフローに対応する論理チャネルまたは接続（パケット・データ接続、音声接続、または映像接続など）である。
【００２６】
特に、図１に示されるような先行技術によれば、ユーザ・プレーン３の無線プロトコル・スタックおよび制御プレーン４の無線プロトコル・スタックは両方ともマクロｅＮｏｄｅＢ１に常駐する。
【００２７】
次に図２を参照すると、制御プレーン４の無線プロトコル・スタックおよびユーザ・プレーン３の無線プロトコル・スタックは、２つのｅＮｏｄｅＢ、すなわち、サービング・マクロｅＮｏｄｅＢ１およびサービング・ユーザ・プレーン・スモールｅＮｏｄｅＢ５の間で分割される。制御プレーン４スタックはサービング・マクロｅＮｏｄｅＢ１に配置されたままである。実際には、ＥＵＴＲＡＮ無線アクセス・ベアラ（Ｅ−ＲＡＢ）の一部またはすべてのためのユーザ・プレーン３スタックはスモールｅＮｏｄｅＢ５に再配置され（すなわち、転送され）、それにより、スモールｅＮｏｄｅＢ５においてＥ−ＲＡＢの一部またはすべてのためのユーザ・プレーン３の最終場所がもたらされる（他のＥ−ＲＡＢのユーザ・プレーン・スタックは、もしあれば、マクロｅＮＢ１に残る）。
【００２８】
ユーザ・プレーン・スタックがマクロｅＮｏｄｅＢ１からスモールｅＮｏｄｅＢ５に配置換えになるとは、このプレーンの機能をスモールｅＮｏｄｅＢ５の対応するユーザ・プレーン・スタックに委譲または転送することを意味するものである。
【００２９】
言い換えれば、関係するＥ−ＲＡＢのＰＤＣＰ、ＲＬＣ、ＭＡＣ、およびＰＨＹユーザ・プレーン・エンティティはすべて再配置されてスモールｅＮｏｄｅＢ５に入り、一方、制御プレーン４の（および選択されないＥ−ＲＡＢのユーザ・プレーン・スタックの）ＰＤＣＰ、ＲＬＣ、ＭＡＣエンティティはマクロｅＮｏｄｅＢ１に残る。
【００３０】
図２のプロトコル・アーキテクチャは、マクロ・セルによって取り扱われるＵＥ２が、マクロ・セルで覆われたスモール・セル（すなわち、潜在的なハンドオーバ・ターゲット・スモール・セル）のカバレッジ（またはカバレッジ縁部）の下にある（またはその方に移動する）場合、このＵＥのＥ−ＲＡＢの一部またはすべてがスモールｅＮｏｄｅＢ５に再配置され、一方、制御プレーン４はマクロｅＮｏｄｅＢ１に保持されることに基づく。
【００３１】
その目的のために、３ＧＰＰ規定Ｘ２インタフェース（今後、「Ｘ２データ・ハンドオーバ」と呼ぶ）に基づくハンドオーバ手順が、図３に示すように、採用される。このＸ２データ・ハンドオーバにより、図１の構成（先行技術）から図２の構成（一部またはすべてのＥ−ＲＡＢに対して２つのセルの間で制御プレーン４およびユーザ・プレーン３が分割されている）に移動することができる。
【００３２】
「Ｘ２データ・ハンドオーバ」は、一部またはすべてのＥ−ＲＡＢのデータ・ベアラのみ（すなわちユーザ・プレーン・トラフィック）をスモールｅＮｏｄｅＢ５に転送し、一方、シグナリング無線ベアラ（すなわち、制御プレーン・トラフィック）をマクロ・セルに保持する。
【００３３】
実際には、「Ｘ２データ・ハンドオーバ」は以下のステップを含む。
−  対応するユーザ・プレーン・トラフィックがスモールｅＮｏｄｅＢ５のユーザ・プレーン３によってユーザ機器２に送出されるように、一部またはすべてのＥ−ＲＡＢのユーザ・プレーン３（すなわち、データ・ベアラ情報）をサービング・マクロｅＮｏｄｅＢ１からスモールｅＮｏｄｅＢ５にＸ２データ・ハンドオーバ要求／応答メッセージによって再配置するステップ（図３のステップ３２〜３３）。この目的のために、Ｘ２構成メッセージおよび／または情報要素が、図４に提示されるように、ユーザ・プレーン構成および動作のためのマクロｅＮｏｄｅＢ１順序性（ｍａｃｒｏ  ｅＮｏｄｅＢ  １  ｏｒｄｅｒｉｎｇ）変更および更新を可能にするために導入される。特に、Ｘ２メッセージ（図４のＸ２−Ｕ構成および更新メッセージなど）は、スモールｅＮｏｄｅＢ５に配置されるユーザ・プレーン・エンティティの構成および動作の更新を、マクロｅＮｏｄｅＢ１から制御し、再配置を実行するように設計される。
−  ＵＥ２が、選択されたＥＲＡＢのユーザ・プレーン・アップリンク・データをスモールｅＮｏｄｅＢ５にのみ、および制御プレーン・アップリンク・データをマクロｅＮｏｄｅＢ１にのみ送るように、再配置に従ってＵＥ２のＲＲＣ（無線リソース制御）接続を介した再構成を行うステップ（図３のステップ３３〜３４）。
−  Ｓ１−Ｕのみを更新し、ｅＮｏｄｅＢ１とＭＭＥの間に残るＳ１制御プレーン（すなわち、Ｓ１−ＭＭＥ）を変わらないままにする、ＭＭＥを介した「Ｓ１−Ｕ切替」（Ｓ１−Ｕ切替要求／応答メッセージ）を実行するステップ（図３のステップ３５〜３６）。
−  スモールｅＮｏｄｅＢ５からＳＧＷの方への関係するＥＲＡＢのユーザ・プレーン切替を実現するためにＭＭＥとＳＧＷとの間で「経路切替」を実行するステップ（図３のステップ３７〜３８）。
【００３４】
これが意味するところは、ＭＭＥが、Ｓ１−ＭＭＥ終端のための無線アクセス・ネットワーク・アンカとしてマクロｅＮｏｄｅＢ１を保持し、一方、関係するＥ−ＲＡＢに関してスモールｅＮｏｄｅＢ５とＳＧＷとの間でユーザ・プレーンを直接切り替えるために、データ経路切替要求をＳＧＷの方に（適切なデータで）発出する（図３のステップ３７〜３８）ことである。
【００３５】
Ｘ２データ・ハンドオーバは、ユーザ・プレーン３の関係するＰＤＣＰ、ＲＬＣ、ＭＡＣエンティティだけでなくＵＥコンテキスト（セキュリティ情報などの）の一部またはすべてをスモールｅＮｏｄｅＢ５に再配置する。
【００３６】
再配置が初期に行われると仮定すると、ＵＥ２は、新しいスモール・セルへの同期に関連する中断時間を避けることができる。その上、制御プレーン・スタックがマクロｅＮＢ１に残っているので、ＲＲＣによるＵＥへの必要な再構成（ハンドオーバ）メッセージの送出は迅速で信頼でき、それはハンドオーバをほとんどシームレスにするのに大幅に寄与する。
【００３７】
同様に、ＵＥが移動してスモール・セルを出てマクロ・セルに戻る場合、同じ「Ｘ２データ・ハンドオーバ」法を、ほとんど中断なしに、制御プレーン・アンカをマクロｅＮｏｄｅＢ１で変わらないままにして、ほとんどシームレスで使用することができる。
【００３８】
１つの実施形態では、ユーザ・プレーン・ベアラのすべてではなく一部がスモール・セルのみによって転送される。これは、ユーザ・プレーン・ベアラの一部がマクロｅＮｏｄｅＢ１に残っていることを意味する。この柔軟性により、マクロｅＮｏｄｅＢ１は、スモールｅＮｏｄｅＢ５への転送されるユーザ・プレーン・ベアラの選択を制御することができるはずである。
【００３９】
有利には、上述のプロトコル・アーキテクチャは、マクロｅＮｏｄｅＢ１とスモールｅＮｏｄｅＢ５との間でＵＥの制御プレーンを再配置する必要なしに、ユーザ・プレーンのすべてまたは一部をマクロ・セルとスモール・セルとの間で行ったり来たり切り替えることができるようにし、それゆえに、ほとんどシームレスのハンドオーバ手順（中断時間の減少）が保証される。これは、スモール・セルの高密度配備をもっているが、スモール・セル層の連続的なカバレッジをもたないヘテロジニアス・ネットワークを横切ってＵＥが移動するという広範囲に及ぶシナリオを考慮すると、性能強化目標に関して特に重要である。それゆえに、本発明により、ＵＥは、スモール・セルでのユーザ・データの高いデータ・レートとともに、制御プレーン・モビリティ性能を劣化させないことから利益を得ることができる。
【００４０】
上述の方法の別の利点は、周波数間ヘテロジニアス・ネットワークにおけるスモール・セルの高密度化を容易にしながら、周波数間ヘテロジニアス・ネットワークでのシームレスで円滑なハンドオーバ実行を保証し、それがサービスのよりよいネットワーク品質をもたらすことである。
【００４１】
上述のプロトコル・アーキテクチャの実施態様およびその実施は、周波数間ヘテロジニアス・ネットワークにおけるスモール・セル高度化のために制御／ユーザ・プレーン分割を変更することによって新しい手順を使用する利点を提供する。
【００４２】
上述の方法によれば、ＵＥは、マクロｅＮｏｄｅＢ１からの制御されたシグナリングと、より高品質のサービスを提供するスモールｅＮｏｄｅＢ５からのサービスとを受けることができる。それによって、マクロ・セル・カバレッジ内のどこでも、ユーザは安定で高品質（広帯域）のサービスを享受する。
【００４３】
上述の実施形態は、１つを超えるより小さいサイズのセル（例えば、ピコ・セルまたはフェムト・セル）を覆う他のセル（例えば、マイクロ・セル）に同様に適用することができることに留意されるべきである。
【００４４】
上述のプロトコル・アーキテクチャは、現在の３ＧＰＰリリースに好適であることも留意されるべきである。
【図１】
2015530840.tif 000003
【図２】
2015530840.tif 000004
【図３】
2015530840.tif 000005
【図４】
2015530840.tif 000006
【国際調査報告】
2015530840.tif 000007
2015530840.tif 000008